(57)【特許請求の範囲】
【請求項１】
マイクロコントローラを用いて固体照明パネルを制御する固体照明パネル制御方法であって、
前記固体照明パネルの色特性に対応する輝度又は色度の少なくとも一つを示す色管理参照値を、ユーザ入力から前記マイクロコントローラが受領するステップと、
色管理変更値を、前記色管理参照値と、前記固体照明パネルの現在の色特性に対応する現在の色管理値との差として推定するステップと、
前記色管理変更値がしきい値よりも大きい場合に、前記色管理参照値と前記現在の色管理値との間にある増分色管理参照値を発生させるステップと、
前記色管理参照値に応答して、前記マイクロコントローラを開ループ制御モード又は閉ループ制御モードの何れか一方の制御モードに調整し、前記マイクロコントローラを前記閉ループ制御モードで、受領された前記色管理参照値に応答して、前記固体照明パネルの色特性が前記色管理参照値に対応する輝度又は色度の少なくとも一つの目標値を示す色特性目標値に達するまで動作させ、
前記固体照明パネルの色特性が前記色特性目標値に達したときに、前記マイクロコントローラを、前記色管理参照値を用いない開ループ制御モードで動作させることで、前記マイクロコントローラの制御モードを調整するステップと
を有する固体照明パネル制御方法であって、
前記色管理変更値が前記しきい値より大きい場合に、前記閉ループ制御モードにおける前記マイクロコントローラの動作は前記増分色管理参照値を使用し、それから前記色管理参照値を使用して実行される、
ことを特徴とする固体照明パネル制御方法。
【請求項２】
色特性ドリフトを補正するために、前記マイクロコントローラを閉ループ制御モードで定期的に動作させるステップを更に有することを特徴とする請求項１に記載の固体照明パネル制御方法。
【請求項３】
前記色特性は、固体照明パネル輝度出力を含むことを特徴とする請求項１に記載の固体照明パネル制御方法。
【請求項４】
前記色特性は、固体照明パネル色度値を含むことを特徴とする請求項１に記載の固体照明パネル制御方法。
【請求項５】
マイクロコントローラを用いて固体照明パネルを制御する固体照明パネル制御方法であって、
前記固体照明パネルの色特性に対応する輝度又は色度の少なくとも一つを示す色管理参照値を、ユーザ入力から前記マイクロコントローラが受領するステップと、
前記色管理参照値に応答して、前記マイクロコントローラを開ループ制御モード又は閉ループ制御モードの何れか一方の制御モードに調整し、前記マイクロコントローラを前記閉ループ制御モードで、受領された前記色管理参照値に応答して前記固体照明パネルの色特性が前記色管理参照値に対応する輝度又は色度の少なくとも一つの目標値を示す色特性目標値に達するまで動作させ、
前記固体照明パネルの色特性が前記色特性目標値に達したときに、前記マイクロコントローラを、前記色管理参照値を用いない前記開ループ制御モードで動作させることで、前記マイクロコントローラの制御モードを調整するステップと
を有することを特徴とする固体照明パネル制御方法で用いられる固体照明パネルシステムであって、
複数の電流ドライバによって駆動されるように構成された複数の固体照明デバイスを含む固体照明パネルと、
前記固体照明パネルを、前記複数の電流ドライバを介して制御するように構成され、前記色管理参照値を含む動的入力信号値に応答して前記閉ループ制御モードで選択的に動作するように更に構成された多モード色管理システムと、を備え
前記多モード色管理システムは、前記色管理参照値と前記固体照明パネルの現在の色特性に対応する現在の色管理値との差である色管理変更値を推定し、前記色管理変更値をしきい値と比較し、かつ前記色管理変更値が前記しきい値よりも大きい場合に、前記マイクロコントローラを前記閉ループ制御モードに設定するように構成された、モード選択モジュールを備えた、
ことを備えたことを特徴とする固体照明パネルシステム。
【請求項６】
前記多モード色管理システムは、複数の固体照明パネルセンサからセンサ入力を受領するように構成された色管理ユニットを備え、前記色管理ユニットは、前記複数の固体照明デバイスを含む前記固体照明パネルの光出力を制御するための輝度または色度の少なくとも一方を制御するパルス幅変調信号である色管理情報を発生させるマイクロコントローラで構成されることを特徴とする請求項５に記載の固体照明パネルシステム。
【請求項７】
前記多モード色管理システムは、前記色管理ユニットから前記色管理情報を、また前記ユーザ入力から前記動的入力信号値を受領するように構成された前記マイクロコントローラを備え、前記動的入力信号値は、前記固体照明パネルの前記色特性に対応することを特徴とする請求項６に記載の固体照明パネルシステム。
【請求項８】
前記固体照明パネルの前記色特性は、固体照明パネル輝度出力を含むことを特徴とする請求項７に記載の固体照明パネルシステム。
【請求項９】
前記固体照明パネルの前記色特性は、固体照明パネル色度値を含むことを特徴とする請求項７に記載の固体照明パネルシステム。
【請求項１０】
前記モード選択モジュールは更に、前記色管理変更値が前記しきい値未満である場合に、前記マイクロコントローラを前記開ループ制御モードに設定するように構成されることを特徴とする請求項５に記載の固体照明パネルシステム。
【請求項１１】
前記色管理変更値は、前記動的入力信号値と前記現在の色管理値との差を含むことを特徴とする請求項５に記載の固体照明パネルシステム。
【請求項１２】
前記動的入力信号値と前記現在の色管理値との間にある複数の増分値を推定するように構成された、増分モジュールを更に備え、前記閉ループ制御モードの間において、前記複数の増分値によって、前記動的入力信号値の大きな変更は複数のより小さな別個の変更に分割され、
前記色管理変更値が前記しきい値より大きい場合に、前記閉ループ制御モードにおける前記マイクロコントローラの動作は前記複数の増分値を使用し、それから前記色管理参照値を使用して実行されることを特徴とする請求項５に記載の固体照明パネルシステム。
【請求項１３】
請求項５に記載の固体照明パネルシステムを用いるように構成されたことを特徴とするバックライト付きディスプレイ装置。
【請求項１４】
マイクロコントローラを用いて固体照明パネルを制御する固体照明パネル制御方法であって、
前記固体照明パネルの色特性に対応する輝度又は色度の少なくとも一つを示す色管理参照値を、ユーザ入力から前記マイクロコントローラが受領するステップと、
前記色管理参照値に応答して、前記マイクロコントローラを開ループ制御モード又は閉ループ制御モードの何れか一方の制御モードに調整し、前記マイクロコントローラを前記閉ループ制御モードで、受領された前記色管理参照値に応答して前記固体照明パネルの色特性が前記色管理参照値に対応する輝度又は色度の目標値の少なくとも一つを示す色特性目標値に達するまで動作させ、
前記固体照明パネルの色特性が前記色特性目標値に達したときに、前記マイクロコントローラを、前記色管理参照値を用いない前記開ループ制御モードで動作させることで、前記マイクロコントローラの制御モードを調整するステップと
を有することを特徴とする固体照明パネル制御方法で用いられる固体照明パネルにおいて安定化された色管理システムを実現する色管理制御方法であって、
前記固体照明パネルの色特性に対応する輝度又は色度の少なくとも一方を管理する前記色管理参照値を含む色管理信号を、前記ユーザ入力から前記マイクロコントローラ内に受領するステップと、
前記色管理信号を、前記固体照明パネルの現在の色特性に対応する現在の色管理値に対して分析するステップと、
前記色管理信号を分析する前記ステップに応答して前記制御モードを設定するステップとを有し、
前記色管理信号を分析する前記ステップは、
前記色管理参照値を前記現在の色管理値と比較して、前記色管理参照値と前記現在の色管理値の差である色管理変更値を決定するステップと、
前記色管理変更値をしきい値と比較するステップとを有し、
前記制御モードを設定する前記ステップは、前記色管理変更値を前記しきい値と比較する前記ステップより、前記色管理変更値が前記しきい値未満である場合に、前記マイクロコントローラを前記開ループ制御モードに設定するステップを有する
ことを特徴とする色管理制御方法。
【請求項１５】
前記色管理信号を受領する前記ステップは、前記固体照明パネルの色特性に対応する前記色管理参照値を、前記ユーザ入力から前記マイクロコントローラが受領するステップを有することを特徴とする請求項１４に記載の色管理制御方法。
【請求項１６】
前記色管理変更値が前記しきい値よりも大きい場合、前記制御モードを設定する前記ステップは更に、
前記マイクロコントローラを前記閉ループ制御モードに設定するステップと、
前記色特性を前記現在の色管理値から前記色管理参照値に増加的に調整するように構成された複数の色管理変更増分値を計算するステップと
を有することを特徴とする請求項１４に記載の色管理制御方法。
【請求項１７】
前記マイクロコントローラが前記閉ループ制御モードにある場合に、固体照明パネル光センサから色管理フィードバック値を前記色管理システムが受領するステップを更に有することを特徴とする請求項１６に記載の色管理制御方法。
【請求項１８】
前記現在の色管理値が最大色管理値よりも最小色管理値に近い場合、前記しきい値が第１のしきい値に設定され、前記現在の色管理値が最小色管理値よりも最大色管理値に近い場合、前記しきい値が前記第１のしきい値よりも大きな第２のしきい値に設定される、前記現在の色管理値に応答して前記しきい値を動的に調整するステップを更に有することを特徴とする請求項１４に記載の色管理制御方法。
【発明の詳細な説明】
【技術分野】
【０００１】
本発明は、照明パネルにおいて色管理制御を実現するためのシステム及びその方法に関し、より詳細には、固体照明パネルの制御技術に関する。
【背景技術】
【０００２】
固体照明アレイは、複数の照明用途に使用される。固体ランプ（ｓｏｌｉｄ  ｓｔａｔｅ  ｌａｍｐ）のアレイを含む固体照明パネル（ｓｏｌｉｄ  ｓｔａｔｅ  ｌｉｇｈｔｉｎｇ  ｐａｎｅｌ）は、例えば、建築化照明及び／又はアクセント照明における直接照射光源として使用されてきている。固体ランプは、例えば、１つ又は複数の発光ダイオード（ＬＥＤ）を含むパッケージ化された発光デバイスを含むことができる。無機ＬＥＤは、一般に、ｐ−ｎ接合を形成する半導体層を含んでいる。有機発光層を含む有機ＬＥＤ（ＯＬＥＤ）は、他のタイプの固体発光デバイスである。一般に、固体発光デバイスは、発光層又は発光領域内での電子キャリア、すなわち、電子と正孔の再結合を通じて光を発生させる。
【０００３】
固体照明パネルは、一般に、携帯型電子装置で使用されるＬＣＤディスプレイ画面などの小型ＬＣＤディスプレイ画面用のバックライトとして使用される。更に、固体照明アレイを、ＬＣＤテレビジョンディスプレイなどのより大型のディスプレイのバックライトとして使用することに対する興味が高まってきている。
【０００４】
より小型のＬＣＤ画面の場合、バックライト組立体は、ＬＥＤによって放出された青色光の一部を黄色光に変換する波長変換蛍光体（ｗａｖｅｌｅｎｇｔｈ  ｃｏｎｖｅｒｓｉｏｎ  ｐｈｏｓｐｈｏｒ）で被覆された青色発光（ｂｌｕｅ−ｅｍｉｔｔｉｎｇ）ＬＥＤを含む、白色ＬＥＤランプを使用することができる。青色光と黄色光の組合せである、結果として得られる光は、観測者に白色のように見える。しかし、そのような構成によって発生された白色光は白色のように見えるが、そのような光によって照射される物体は、光の限られたスペクトルのため、自然の色を有しているように見えない。例えば、光が可視スペクトルの赤色部分においてほとんどエネルギーを有することができないので、物体中の赤色は、そのような光によって適切に照射することができない。その結果、物体は、そのような光源の下で見ると、不自然な色を有しているように見える。
【０００５】
光源の演色評価数は、光源によって発生された光が広範囲の色を正確に照射することができる能力の定性的基準（ｑｕａｌｉｔａｔｉｖｅ  ｍｅａｓｕｒｅ）である。演色評価数は、基本的に単色光源の場合のゼロから、白熱光源の場合のほぼ１００まで及ぶ。固体光源から発生された光は、比較的低い演色評価数を有することがあるが、これは、多様な色の複数の発光体（ｅｍｉｔｔｅｒ）を使用して、かつ／又は放出スペクトルを広げるために蛍光体を使用することによって、増加させることができる。
【０００６】
照射用途の場合、照明パネルによって照射される物体がより自然に見えるように、高い演色評価数を有する白色光を発生させる照明光源を提供することがしばしば望ましい。したがって、そのような照明光源は、一般に、赤色、緑色、及び青色発光デバイスを含む固体ランプのアレイを含むことができる。赤色、緑色、及び青色発光デバイスが同時に通電されると、結果として得られる組み合わさった光は、赤色、緑色、及び青色光源の相対的な強度に応じて、白色又はほぼ白色のように見える。「白色」と見なすことができる、光の多くの異なる色度がある。例えば、より黄色がかって見える、白熱ランプによって発生された光などの「白色」光もあれば、色がより青みがかって見える、一部の蛍光ランプによって発生された光などの「白色」光もある。
【０００７】
ＬＥＤなどの固体ランプは、ＬＥＤから放出される光の強度がＬＥＤを通じて駆動される電流の量に関係するという意味において、電流制御デバイスである。固体ランプを通じて駆動される電流を、所望の強度及び色混合を達成するように制御するための１つの一般的な方法が、パルス幅変調（ＰＷＭ）方式である。多くのＰＷＭ方式は、固体ランプを交互に、フル電流（ｆｕｌｌ  ｃｕｒｒｅｎｔ）「ＯＮ」状態と、それに続いてゼロ電流「ＯＦＦ」状態にパルス状にすることができる。
【０００８】
精度、一様性、及び／又は応答性をもたらす管理制御システムの設計は、従来の制御システム方法を使用すると困難な場合がある。例えば、色管理制御システムは、例えば、センサ出力雑音に対応する望ましくない出力発振を発生させることがあるが、センサ出力上にフィルタを配置すると、制御システムの応答性が低減し、フィルタの位相遅れからの発振が生じることがある。
【発明の開示】
【発明が解決しようとする課題】
【０００９】
本発明は、このような問題に鑑みてなされたもので、その目的とするところは、照明パネルにおいて色管理制御を実現するための色管理制御システム及びその方法を提供することにある。
【課題を解決するための手段】
【００１０】
本発明のいくつかの実施形態は、マイクロコントローラを用いて固体照明パネルを制御する固体照明パネル制御方法を提供することができる。いくつかの実施形態では、固体照明パネル制御方法は、固体照明パネルの色特性に対応する色管理参照値を、マイクロコントローラ内に受領すること、及び色管理参照値に応答して、マイクロコントローラの制御モードを調整することを含むことができる。
【００１１】
いくつかの実施形態では、制御モードを調整することが、色管理参照値の受領に応答して、マイクロコントローラを閉ループ制御モードで、固体照明パネルが色管理参照値に対応する色特性目標値に達するまで動作させること、及び固体照明パネルが色特性目標値に実質的に達したときに、マイクロコントローラを開ループ制御モードで動作させることを含む。いくつかの実施形態では、色管理参照値がユーザ入力値を含んでいる。
【００１２】
いくつかの実施形態は、色管理変更値を、色管理参照値と、照明パネルの現在の色特性に対応する現在の色管理値との差として推定すること、及び色管理変更値がしきい値よりも大きい場合に、色管理参照値と現在の色管理値との間の増分値を発生させることを含むことができる。いくつかの実施形態では、色管理参照値が、較正システム及び／又は監視コントローラからの値を含んでいる。
【００１３】
いくつかの実施形態は、色特性ドリフトを補正するために、マイクロコントローラを閉ループ制御モードで定期的に動作させることを含むことができる。いくつかの実施形態では、色特性が照明パネル輝度を含んでいる。いくつかの実施形態では、色特性が照明パネル色度値を含んでいる。
【００１４】
本発明のいくつかの実施形態は、照明パネルシステムを提供することができる。そのようなシステムの諸実施形態は、複数の電流ドライバによって駆動されるように構成された複数の固体照明デバイス（ｓｏｌｉｄ  ｓｔａｔｅ  ｌｉｇｈｔｉｎｇ  ｄｅｖｉｃｅ）を含む照明パネルと、照明パネルを、電流ドライバを介して制御するように構成された多モード色管理システムとを含むことができる。多モード色管理システムは更に、動的入力信号値に応答して閉ループ制御モードで選択的に動作するように構成することができる。
【００１５】
いくつかの実施形態では、多モード色管理システムが、複数の照明パネルセンサからセンサ入力を受領するように構成された色管理ユニットを含んでいる。色管理ユニットは更に、複数の固体照明デバイスの光出力を制御するための色管理情報を発生させるように構成することができる。
【００１６】
いくつかの実施形態では、多モード色管理システムが、色管理ユニットから色管理情報を、またユーザ入力から動的入力信号値を受領するように構成されたマイクロコントローラを含み、動的入力信号値が照明パネルの色特性に対応する。
【００１７】
いくつかの実施形態では、照明パネルの色特性が、固体照明パネル輝度出力を含んでいる。いくつかの実施形態では、照明パネルの色特性が、固体照明パネル色度出力を含んでいる。
【００１８】
いくつかの実施形態では、多モード色管理システムが、色管理変更値を推定し、色管理変更値をしきい値と比較し、かつ色管理変更値がしきい値よりも大きい場合に、マイクロコントローラを閉ループ制御モードに設定するように構成された、モード選択モジュールを含んでいる。いくつかの実施形態では、モード選択モジュールが更に、色管理変更値がしきい値未満である場合に、マイクロコントローラを開ループ制御モードに設定するように構成される。
【００１９】
いくつかの実施形態では、色管理変更値が、動的入力信号値と現在の色管理値との差を含んでいる。
【００２０】
いくつかの実施形態は、動的入力信号値と現在の色管理値との間の複数の増分値を推定するように構成された増分モジュールを含んでいる。
【００２１】
いくつかの実施形態は、本明細書において記載される照明パネルシステムを利用するように構成された、バックライト付きディスプレイ装置を含んでいる。
【００２２】
本発明のいくつかの実施形態は、固体照明パネルにおいて安定化された色管理システムを実現する方法を含んでいる。そのような方法のいくつかの実施形態は、固体照明パネルの色特性に対応する色管理信号をマイクロコントローラ内に受領すること、色管理信号を、現在の色特性に対応する現在の色管理値に対して分析すること、及び色管理信号を分析することに応答して、制御システムモードを設定することを含むことができる。
【００２３】
いくつかの実施形態では、色管理信号を受領することが、固体照明パネルの色特性に対応する色管理参照値を受領することを含んでいる。いくつかの実施形態では、色管理参照信号が、ユーザ入力信号を含んでいる。
【００２４】
いくつかの実施形態では、色管理信号を分析することが、色管理参照値を現在の色管理値と比較して、色管理変更値を決定すること、及び色管理変更値をしきい値と比較することを含んでいる。いくつかの実施形態では、制御システムモードを設定することが、色管理変更値がしきい値未満である場合に、マイクロコントローラを開ループ制御システムモードに設定することを含んでいる。
【００２５】
いくつかの実施形態では、色管理変更値がしきい値よりも大きい場合、制御システムモードを設定することが更に、マイクロコントローラを閉ループ制御システムモードに設定すること、及び色特性を現在の色管理値から色管理参照値に増加的に調整するように構成された複数の色管理変更増分値を計算することを含んでいる。いくつかの実施形態は、マイクロコントローラが閉ループ制御モードにある場合に、固体照明パネル光センサから色管理フィードバック値を受領することを含むことができる。
【００２６】
いくつかの実施形態は、現在の色管理値が最大色管理値に近いよりも最小色管理値に近い場合、しきい値が第１のしきい値に設定され、現在の色管理値が最小色管理値に近いよりも最大色管理値に近い場合、しきい値が第１のしきい値よりも大きな第２のしきい値に設定される、現在の色管理値に応答してしきい値を動的に調整することを含むことができる。
【００２７】
本発明の更なる理解を可能にするために含まれ、本願に組み込まれ、かつ本願の一部をなす添付の図面が、本発明の１つ又は複数の特定の実施形態を示す。
【発明を実施するための最良の形態】
【００２８】
次に、本発明の諸実施形態を、本発明の諸実施形態が示された添付の図面を参照して、以下により詳細に説明する。ただし本発明は、多くの異なる形で実施することができ、本明細書に記載の実施形態に限定されるものと解釈すべきではない。そうではなく、それらの実施形態は、本開示が網羅的で完全なものとなるように、また本発明の範囲を当業者に十分に伝えるために、提供するものである。同じ数字は、全体を通じて同じ要素を表す。
【００２９】
さまざまな要素について記載するために、本明細書において第１、第２、などの語が使用されることがあるが、それらの要素は、これらの語によって限定されるべきではないことが理解されよう。これらの語は、ある要素と他の要素を区別するために使用されるにすぎない。例えば、本発明の技術的範囲から逸脱することなく、第１の要素を第２の要素と呼ぶことができ、同様に、第２の要素を第１の要素と呼ぶこともできる。本明細書では、「及び／又は」という語は、列挙された関連する諸項目の１つ又は複数のあらゆる組合せを含んでいる。
【００３０】
層、領域、又は基板などの要素が、別の要素「上に（ｏｎ）」ある、又は他の要素「上に（ｏｎｔｏ）」広がっているといわれる場合、その要素は、他の要素の直接上に（ｏｎ）あっても、他の要素の直接上に（ｏｎｔｏ）広がってもよく、又は介在する要素が存在してもよいことが理解されよう。それとは対照的に、要素が別の要素の「直接上に（ｄｉｒｅｃｔｌｙ  ｏｎ）」ある、又は他の要素の「直接上に（ｄｉｒｅｃｔｌｙ  ｏｎｔｏ）」広がっているといわれる場合、介在する要素は存在しない。要素が別の要素に「接続されている」又は「結合されている」といわれる場合、その要素は、他の要素に直接接続されても結合されてもよく、又は介在する要素が存在してもよいことも理解されよう。それとは対照的に、要素が別の要素に「直接接続されている」又は「直接結合されている」といわれる場合、介在する要素は存在しない。第１の要素、条件、信号及び／又は値が、別の要素、条件、信号及び／又は値「に応答して」といわれる場合、第１の要素、条件、信号及び／又は値が、他の要素、条件、信号及び／又は値に完全に応答して、又は部分的に応答して、存在するかつ／又は動作することができることも理解されよう。
【００３１】
本明細書で使用される語は、特定の諸実施形態のみを説明するためのものであり、本発明を限定するものではない。本明細書では、単数形「１つの（ａ）」、「１つの（ａｎ）」、及び「その（ｔｈｅ）」は、文脈上明らかに示す場合を除き、複数形も含むものとする。「備える（ｃｏｍｐｒｉｓｅｓ）」、「備える（ｃｏｍｐｒｉｓｉｎｇ）」、「含む（ｉｎｃｌｕｄｅｓ）」、及び／又は「含む（ｉｎｃｌｕｄｉｎｇ）」という語は、本明細書において使用されるとき、述べられたフィーチャ、整数、ステップ、動作、要素、及び／又は構成要素の存在を指定するが、１つ又は複数の他のフィーチャ、整数、ステップ、動作、要素、構成要素及び／又はそれらのグループの存在又は追加を妨げないことが更に理解されよう。
【００３２】
別段の定めがない限り、本明細書において使用される（技術用語及び科学用語を含む）全ての用語は、本発明にふさわしい当業者に一般に理解されるものと同じ意味を有する。本明細書において使用される用語は、本明細書及び関連技術の文脈におけるその意味と一致する意味を有するものと解釈すべきであり、本明細書において明示的にそのように定義されない限り、理想化された又は過度に形式的な意味に解釈されないことが、更に理解されよう。
【００３３】
本発明を以下に、本発明の諸実施形態による方法、システム、及びコンピュータプログラムプロダクトの流れ図及び／又はブロック図を参照して説明する。流れ図及び／又はブロック図のいくつかのブロック、ならびに流れ図及び／又はブロック図内のいくつかのブロックの組合せは、コンピュータプログラム命令によって実施できることが理解されよう。こうしたコンピュータプログラム命令を、マイクロコントローラ、マイクロプロセッサ、デジタル信号プロセッサ（ＤＳＰ）、フィールドプログラマブルゲートアレイ（ＦＰＧＡ）、ステートマシン（ｓｔａｔｅ  ｍａｃｈｉｎｅ）、プログラマブルロジックコントローラ（ＰＬＣ）、又は他の処理回路、汎用コンピュータ、専用コンピュータ、又は、マシンを生成するためのものなど、他のプログラマブルデータ処理装置内に記憶する、又はその中で実施し、したがって、コンピュータ又は他のプログラマブルデータ処理装置のプロセッサを介して実行する命令が、流れ図及び／又はブロック図の１つ又は複数のブロックにおいて指定された機能／動作を実施するための手段となることができる。
【００３４】
こうしたコンピュータプログラム命令を、コンピュータ又は他のプログラマブルデータ処理装置に特定の様式で機能するように指示することができるコンピュータ読取可能メモリ内に記憶し、したがって、コンピュータ読取可能メモリ内に記憶された命令が、流れ図及び／又はブロック図の１つ又は複数のブロックにおいて指定された機能／動作を実施する命令手段を含む製品を生み出すこともできる。
【００３５】
コンピュータプログラム命令を、コンピュータ又は他のプログラマブルデータ処理装置にロードして、コンピュータ又は他のプログラマブル装置上で一連の動作ステップを実施させることによって、コンピュータにより実施されるプロセスを生成し、したがって、コンピュータ又は他のプログラマブル装置上で実行する命令が、流れ図及び／又はブロック図の１つ又は複数のブロックにおいて指定された機能／動作を実施するためのステップをもたらすこともできる。ブロック内に記載された機能／動作は、動作説明図内に記載された順序から外れて行われてよいことを理解されたい。例えば、必要な機能／動作に応じて、連続して示される２つのブロックを、実際は実質的に同時に実行しても、それらのブロックを時として逆順で実行してもよい。図面のいくつかは、伝達（ｃｏｍｍｕｎｉｃａｔｉｏｎ）の主要な方向を示すために、伝達経路上に矢印を含むが、伝達は、図示の矢印とは反対方向に行われてもよいことを理解されたい。
【００３６】
本発明のいくつかの実施形態は、固体バックライト内の閉ループ制御システムが、精度、一様性、及び／又は応答性が必要なことから複雑であり、色特性センサ内の雑音の影響が、望ましくない変動（ｆｌｕｃｔｕａｔｉｏｎ）を発生させることがあり、かつセンサ出力をフィルタリングすると、色特性設定点（ｃｏｌｏｒ  ｃｈａｒａｃｔｅｒｉｓｔｉｃ  ｓｅｔｐｏｎｔ）の周りで望ましくない静的発振が生じることがあるという認識から生じてよい。したがって、いくつかの実施形態は、制御システム要求に応答して開ループ制御モード又は閉ループ制御モードを設定することができる、光パネルシステムを確立する。このようにして、望ましくない制御システムの発振を低減させることができる。
【００３７】
本発明のいくつかの実施形態は、フラットパネルディスプレイ用途を対象にすることができる。フラットパネルディスプレイ用途では、高色域を高効率で達成することが望ましい場合がある。色域が増大すると、ディスプレイがより広範囲の知覚可能な色を表示することが可能になり得る。いくつかの実施形態では、このことを、例えば、とりわけ赤色、緑色、青色、シアン、及び／又は黄色など、異なる主波長を放出することができる複数の固体発光体又は蛍光体を介して達成することができる。
【００３８】
図１は、本発明のいくつかの実施形態による照明パネルを示すブロック図である。照明パネル１０は、固体発光体を含む複数のタイル３０をそれぞれが有する、複数の照明パネルバー２０を含むことができる。固体発光体は、例えば、ストリング（ｓｔｒｉｎｇ）の形で連続して配列することができる。照明パネルバー２０はそれぞれ、制御システムとの電気相互接続を可能にするように構成されたインターフェース４０を含むことができる。複数の照明パネルバー２０を含む照明パネル１０の文脈において提示しているが、本明細書において説明する照明パネル１０のいくつかの実施形態は、複数の照明パネルバー２０及び／又は複数のタイル３０なしで構成することができる。例えば、いくつかの実施形態では、照明パネルを、複数の固体発光体を含む単一構造を含むように構成することができる。
【００３９】
図２は、本発明のいくつかの実施形態による照明パネルバーを示す概略図である。いくつかの実施形態では、照明パネルバー２０は、複数の固体照明デバイス４２Ａ乃至４２Ｃをそれぞれが含んでよい、複数のストリング４４Ａ乃至４４Ｃを含むことができる。各ストリング４４は、実質的に同じになるように構成することができ、又は各ストリングは、１つ又は複数の様式で異なることができる。いくつかの実施形態では、各ストリング４４Ａ乃至４４Ｃが、異なる主波長における光を放出する固体照明デバイス４２Ａ乃至４２Ｃを含んでいる。例えば、固体照明デバイス４２Ａを、赤色に一般に対応する主波長を有する光を放出するように構成することができる。同様に、固体照明デバイス４２Ｂ及び４２Ｃをそれぞれ、緑色及び青色に対応する主波長を有する光を放出するように構成することができる。
【００４０】
いくつかの実施形態の照明パネルバー２０は、異なる色の固体照明デバイス４２を有する、１つ又は複数のストリング４４を含むことができる。例えば、照明パネルバー２０は、赤色固体照明デバイスを有する少なくとも１つのストリング４４、緑色固体照明デバイスを有する少なくとも１つのストリング４４、及び青色固体照明デバイスを有する少なくとも１つのストリング４４を含むことができる。このようにして、各ストリングに供給される電流の量及び／又はデューティサイクルを選択的に制御することにより、照明パネルバー２０によって放出される光の色度及び／又は輝度を制御することができる。ストリング４４Ａ乃至４４Ｃは、互いに独立に、又は照明パネルバー２０に対応するグループとして制御することができる。異なる主波長を有する光を放出するように構成された固体照明デバイスに即して論じているが、本明細書におけるシステム及び方法は、単一の主波長における光を放出するように構成された固体照明デバイスを使用するシステムで利用することもできる。更に、システム等は、例えば蛍光体で被覆された青色ＬＥＤなど、通電されると複数の波長を有する光を放出する、かつ／又はその他の様式で広域スペクトル光を放出する、蛍光体を含んだ固体ＬＥＤを使用することもできる。
【００４１】
図３は、本発明のいくつかの実施形態による照明パネルシステムを示すブロック図である。照明パネル１０は、ストリングの形で配列された複数の固体発光体を含んでよい固体バックライト照明パネルとすることができる。いくつかの実施形態では、照明パネルシステムが、色センサ３４０Ｃからセンサ入力を受領し、かつストリングの光出力を制御するための色管理情報を発生させるように構成された、色管理ユニット３６０を含んでいる。
【００４２】
ストリングを通じて駆動される電流を制御するための１つの一般的な方法が、パルス幅変調（ＰＷＭ）方式である。多くのＰＷＭ方式は、固体ランプを交互に、フル電流「ＯＮ」状態と、それに続いてゼロ電流「ＯＦＦ」状態にパルス状にすることができる。ストリングの出力は、ストリングが「ＯＮ」状態にされるサイクルのパーセントであるデューティサイクルを変更することによって、制御することができる。いくつかの実施形態では、パルス周波数が十分に高い場合、デューティサイクルの変更により、ほぼ直線的（ｌｉｎｅａｒ  ｆａｓｈｉｏｎ）にパルス状にされているストリング及び／又は発光体の平均電流及び明らかな輝度が変化することが可能である。いくつかの実施形態では、色管理情報がマイクロコントローラ３３０に供給され、マイクロコントローラ３３０は、色管理情報ならびに／あるいは温度センサ３４０Ａ及び他のセンサ３４０Ｂからのセンサ入力を使用して、ストリングに関するＰＷＭデューティサイクルを調整することによって、パネル１０に所望の色度及び／又は輝度の設定を有する光を放出させる。
【００４３】
いくつかの実施形態では、マイクロコントローラ３３０を、やはりストリングのＰＷＭデューティサイクルを調整するのに使用することができるユーザ入力３５０を受領するように構成することができる。ＰＷＭデューティサイクル情報は、照明パネル１０内の固体発光体のストリング及び／又はグループを駆動することができる電流ドライバ３２０をオン又はオフに切り替えるために、マイクロコントローラ３３０で使用することができる。いくつかの実施形態では、マイクロコントローラ３３０が、照明パネル１０の色特性の変更の要求に関するユーザ入力３５０を受領することができる。マイクロコントローラ３３０は、とりわけユーザ入力３５０、色管理ユニット３６０、温度センサ３４０Ａ、及び／又は他のセンサ３４０Ｂから受領した入力に応答して、ＰＷＭ情報を発生させることができる。色特性は例えば、照明パネル１０の合計光放出を指示することができる、輝度設定の変更の要求を含むことができる。いくつかの実施形態では、色特性が照明パネルの色度値及び／又は「白色点」の変更の要求を含むことができる。色度値は、異なる色の固体発光体の相対出力を変更することによって制御することができる。
【００４４】
図４は、本発明のいくつかの実施形態による、固体照明パネルを制御するための動作を示す流れ図である。ディスプレイ構成要素を制御するための動作は、色管理参照値を受領すること（ブロック４０２）を含んでいる。いくつかの実施形態では、色管理参照値を、固体照明パネルの色特性に対応するユーザ入力信号とすることができる。ユーザ入力信号は、固体照明パネルを制御するように構成されたコントローラ及び／又は色管理ユニットで受領することができる。いくつかの実施形態では、コントローラを、例えば、マイクロコントローラとすることができる。いくつかの実施形態では、コントローラを、例えば、特定用途向け集積回路（ＡＳＩＣ）など、機能及び／又はタスク特定のプロセッサとすることができる。色特性の例には、例えば、とりわけ輝度及び／又は色度がある。
【００４５】
コントローラは、色管理参照値の受領に応答して、閉ループ制御モードに入ることができる（ブロック４０６）。閉ループ制御モードは、現在の色管理値に対応する現在の色特性から色管理参照値に対応する色特性目標への変更を制御するために、例えば、センサからのフィードバック信号の使用を可能にする。このようにして、色特性の変更が、コントローラを介して適用される（ブロック４１０）。
【００４６】
色管理目標に達したかどうかが判定される（ブロック４１２）。色管理目標に達していない場合、コントローラ出力の変更が適用される（ブロック４１４）。色管理目標に達した場合、コントローラは、開ループ制御モードに入ることができる（ブロック４１６）。開モード制御では、センサからフィードバック信号を受領することができない。このようにして、センサ雑音及び／又は他の小さな摂動（ｍｉｎｏｒ  ｐｅｒｔｕｒｂａｎｃｅ）によるコントローラの出力内の望ましくない発振、したがって望ましくない色特性を低減させることができる。いくつかの実施形態では、コントローラが、色特性のわずかな、かつ／又は段階的なずれを補正するために、閉ループ制御モードに定期的に入ることができる。例えば、色及び／又は輝度のドリフトを、例えば、とりわけ１秒又は複数秒、１分又は複数分、１時間又は複数時間、ならびに／あるいは１日又は複数日という期間を含めて、定期的に補正することができる。いくつかの実施形態では、定期的な間隔が、数年ほども長くてよい。いくつかの実施形態では、間隔を、例えば、とりわけユーザ入力信号、外部較正システム、及び／又は監視制御システムなどのトリガによって決定することができる。
【００４７】
図５は、本発明のいくつかの実施形態による、固体照明パネルを制御するための動作を示す流れ図である。ディスプレイ構成要素を制御するための動作は、色管理参照値を受領すること（ブロック５０２）を含んでいる。いくつかの実施形態では、色管理参照値を、固体照明パネルの色特性に対応するユーザ入力信号とすることができる。ユーザ入力信号は、固体照明パネルを制御するように構成されたコントローラ及び／又は色管理ユニットで受領することができる。いくつかの実施形態では、コントローラを、例えば特定用途向け集積回路（ＡＳＩＣ）など、機能及び／又はタスク特定のプロセッサとすることができる。色特性の例には、例えば、とりわけ輝度及び／又は色度がある。
【００４８】
色管理変更値がしきい値よりも大きいかどうかが判定される（ブロック５０４）。色管理変更値は、受領した色管理参照値と、固体照明パネルの現在の色特性に対応する現在の色管理値との差、比及び／又はそれらの間の他の関係によって決定することができる。いくつかの実施形態では、しきい値を固定値として予め決定することができる。いくつかの他の実施形態では、しきい値が、例えば、色管理値最小、最大、及び／又は動作範囲に対する、現在の色管理値の関数として変化してよい。例えば、現在の色管理値が、最小に近い、かつ／又は動作範囲の下端である場合、しきい値は、現在の色管理値が最大に近い、かつ／又は動作範囲の上端である場合よりも小さくてよい。
【００４９】
色管理変更値がしきい値よりも大きい場合、増分色管理参照値を発生させることができる（ブロック５０６）。このようにして、色管理変更値に対応する要求される変更を、より小さな別個の増分の形で実施することができ、その変更は、各増加的な変更相互間に遅延を含んでよい。色管理値の大きな変更を増加的に実施することによって、閉ループ制御モードがより着実に回り（ｓｌｅｗ）、したがって、オーバーシュート及び／又は発振を低減させることができる。例えば、ユーザ入力により３０％の輝度の変更を要求することができ、それを、別個の３回の１０％の輝度の変更を通じて実施することができる。増分色管理参照値を発生させた後、コントローラは、閉ループ制御モードに入って、色管理値の要求された変更を実施することができる（ブロック５０８）。
【００５０】
色管理変更値がしきい値よりも大きくない場合、増分参照値を発生させることはできず、コントローラは、閉ループ制御モードに入って、色管理値の要求された変更を実施することができる（ブロック５０８）。一般に、より小さな色管理変更値に反映される、それほど大幅でない変更の場合にそうなり得る。閉ループ制御モードは、現在の色管理値に対応する固体照明パネルの現在の色特性から色管理参照値に対応する色特性目標への変更を達成するために、例えば、センサからのフィードバック信号の使用を可能にする。このようにして、色特性の変更が、コントローラを介して適用される（ブロック５１０）。
【００５１】
色管理目標に達したかどうかに関する判定を行うことができる（ブロック５１２）。色管理目標に達していない場合、コントローラ出力の変更が更に適用される（ブロック５１４）。色管理目標に達した場合、コントローラは、開ループ制御モードに入ることができる（ブロック５１６）。開ループ制御モードコントローラは、センサからのフィードバック信号を受領及び／又は利用することができない。このようにして、センサ雑音及び／又は他の小さな摂動によるコントローラの出力内の望ましくない発振、したがって、望ましくない色特性を低減させることができる。いくつかの実施形態では、コントローラが、色特性のわずかな、かつ／又は段階的なずれを補正するために、閉ループ制御モードに定期的に入ることができる。例えば、色及び／又は輝度のドリフトを、例えば、とりわけ１秒又は複数秒、１分又は複数分、１時間又は複数時間、ならびに／あるいは１日又は複数日を含めて、定期的に補正することができる。いくつかの実施形態では、定期的な間隔が、数年ほども長くてよい。いくつかの実施形態では、間隔を、例えば、とりわけユーザ入力信号、外部較正システム、及び／又は監視制御システムなどのトリガによって決定することができる。
【００５２】
図６は、本発明のいくつかの実施形態による照明パネルシステムを示すブロック図である。照明パネルシステム６００は、複数の固体照明デバイスを含む照明パネル６１０を含むことができる。いくつかの実施形態では、固体照明デバイスを、タイル及び／又はバー構成のストリング及び／又はクラスタの形で構成することができる。照明パネルシステム６００は、動的入力信号値に応答して閉ループ制御モードで選択的に動作するように構成された、多モード色管理システム６２０を含むことができる。いくつかの実施形態では、多モード色管理システムが、複数の照明パネルセンサからセンサ入力を受領するように構成された色管理ユニットを含んでいる。いくつかの実施形態では、色管理ユニットが、複数の固体照明デバイスの光出力を制御するための色管理情報を発生させるように構成される。
【００５３】
いくつかの実施形態では、多モード色管理システム６２０が、色管理ユニットから色管理情報を受領するように構成された色管理コントローラを含んでいる。多モード色管理システムは更に、ユーザ入力から動的入力信号値を受領するように構成することができる。いくつかの実施形態では、動的入力信号値が、照明パネル６１０の色特性に対応する。照明パネル６１０の色特性は、例えば、とりわけ白色点、色温度、輝度、及び／又は色度を含むことができる。
【００５４】
いくつかの実施形態では、多モード色管理システム６２０が、色管理変更値を推定し、かつ色管理変更値をしきい値と比較するように構成されたモード選択モジュールを含む。色管理変更値は、動的入力信号値と、照明パネル６１０の現在の色特性に対応する現在の色管理値との差として推定することができる。モード選択モジュールは更に、色管理変更値がしきい値よりも大きい場合に、色管理コントローラを閉ループ制御モードに設定するように構成することができる。いくつかの実施形態では、モード選択モジュールを、色管理変更値がしきい値未満である場合に、色管理コントローラを開ループ制御モードに設定するように構成することができる。
【００５５】
いくつかの実施形態は、動的入力信号値と現在の色管理値との間の複数の増分値を推定するように構成された増分モジュールを含むことができる。複数の増分値を推定することによって、大きな変更を、閉ループ制御モードでより効果的に達成することができるより小さな別個の変更に分割することができる。
【００５６】
図７は、本発明のいくつかの実施形態による、固体照明パネルを制御するための動作を示す流れ図である。いくつかの実施形態では、動作が、固体照明パネルの色特性に対応する色管理参照値を、色管理コントローラ内に受領すること（ブロック７１０）を含んでいる。いくつかの実施形態では、色管理参照値を、ユーザ入力を介して受領することができる。例えば、ユーザは、とりわけ輝度及び／又は色度など、固体照明パネルの色特性を調整することができる。動作は、色管理参照値の受領に応答して色管理コントローラの制御モードを調整すること（ブロック７２０）を含むこともできる。
【００５７】
図８は、図７に示す実施形態の更なる実施形態による、固体照明パネルを制御するための動作を示す流れ図である。制御モードを調整することが、色管理参照値の受領に応答して色管理コントローラを閉ループ制御モードで動作させること（ブロック８２０）を含むことができる。いくつかの実施形態では、色管理コントローラを、固体照明パネルが色管理参照値に対応する色特性目標値に達するまで、閉ループ制御モードで動作させることができる。いくつかの実施形態では、制御モードを調整することが、固体照明パネルが色特性目標値に達したときに、色管理コントローラを開ループ制御モードで動作させること（ブロック８３０）を含むこともできる。
【００５８】
図９は、本発明の更に他の実施形態による、固体照明パネルを制御するための動作を示す流れ図である。いくつかの実施形態では、動作が、固体照明パネルの色特性に対応する色管理参照値を、色管理コントローラ内に受領すること（ブロック９１０）を含んでいる。いくつかの実施形態では、色管理参照値を、ユーザ入力を介して受領することができる。例えば、ユーザは、とりわけ輝度及び／又は色度など、固体照明パネルの色特性を調整することができる。動作は、色管理参照値の受領に応答して色管理コントローラの制御モードを調整すること（ブロック９２０）を含むこともできる。例えば、色管理コントローラを、色管理参照値を受領するとすぐに、閉ループ制御モードに設定することができる。
【００５９】
いくつかの実施形態は、色管理変更値を、色管理参照値と、照明パネルの現在の色特性に対応する現在の色管理値との差として推定すること（ブロック９３０）を含んでいる。このようにして、色特性の要求される変更の量を決定することができる。色管理変更値がしきい値よりも大きい場合、色管理参照値と現在の色管理値との間の増分値を発生させることができる（ブロック９４０）。制御システムは、増分値を発生させることによって、輝度及び／又は色の設定点の大きな変更に、複数のより小さな別個の変更を介して対応することができる。更に、いくつかの実施形態では、制御システムの安定性を更に改善するために、より小さな別個の変更が、それらの間に遅延を含んでよい。このようにして、制御システムがより着実に回ることができ、それにより、オーバーシュート及び／又は発振が低減することが可能になる。
【００６０】
図１０は、本発明のいくつかの実施形態による、固体照明パネルを制御するための動作を示す流れ図である。いくつかの実施形態では、動作が、固体照明パネルの色特性に対応する色管理参照値を、色管理コントローラ内に受領すること（ブロック１０１０）を含んでいる。いくつかの実施形態では、色管理参照値を、ユーザ入力を介して受領することができる。例えば、ユーザは、とりわけ輝度及び／又は色度など、固体照明パネルの色特性を調整することができる。動作は、色管理参照値の受領に応答して色管理コントローラの制御モードを調整すること（ブロック１０２０）を含むこともできる。例えば、色管理コントローラを、色管理参照値を受領するとすぐに、閉ループ制御モードに設定することができる。
【００６１】
いくつかの実施形態は、色管理コントローラを閉ループ制御モードで定期的に動作させること（ブロック１０３０）を含んでいる。例えば、受領される色管理参照値がない場合、色管理コントローラは、色及び／又は輝度のドリフトを補正するために、閉ループ制御モードに切り替わることができる。色管理コントローラが閉ループ制御モードに切り替わることができる期間は、秒、分、及び／又は時間、あるいはそれ以上の点から定義することができる。いくつかの実施形態では、定期的な間隔が、数年ほども長くてよい。いくつかの実施形態では、間隔を、例えば、とりわけユーザ入力信号、外部較正システム、及び／又は監視制御システムなどのトリガによって決定することができる。いくつかの実施形態では、監視制御システムが、とりわけ設備、建物、サイト、システム、及び／又は動作を制御するように構成された制御システムを含むことができる。
【００６２】
図１１は、本発明のいくつかの実施形態による、固体照明パネルにおいて安定化された色管理システムを実現するための動作を示す流れ図である。いくつかの実施形態では、動作が、固体照明パネルの色特性に対応する色管理信号を色管理コントローラ内に受領すること（ブロック１１１０）を含んでいる。いくつかの実施形態では、色管理信号を受領することが、固体照明パネルの色管理特性に対応する色管理参照値を受領することを含むことができる。いくつかの実施形態は、色管理参照信号がユーザ入力を介して受領されることを可能にする。
【００６３】
各実施形態は、色管理信号を、固体照明パネルの現在の色特性に対応する現在の色管理値に対して分析すること（ブロック１１２０）を含むこともできる。諸実施形態は、色管理信号を分析することに応答して制御システムモードを設定すること（ブロック１１３０）を含むこともできる。
【００６４】
いくつかの実施形態では、色管理信号を分析することが、色管理参照値を現在の色管理値と比較して色管理変更値を決定することを含んでいる。色管理信号を分析することは、色管理変更値をしきい値と比較することを含むこともできる。いくつかの実施形態では、コントロールシステムモードを設定することが、色管理変更値がしきい値未満である場合に、色管理コントローラを開ループ制御システムモードに設定することを含むことができる。
【００６５】
いくつかの実施形態では、色管理変更値がしきい値よりも大きい場合、制御システムモードを設定することが、色管理コントローラを閉ループ制御システムモードに設定することを含むことができる。そのような実施形態では、複数の色管理変更増分値を計算することもできる。いくつかの実施形態では、色管理コントローラが閉ループ制御モードにある場合、固体照明パネル光センサからの色管理フィードバック値を受領することができる。色管理変更増分値は、色特性を現在の色管理値から色管理参照値に増加的に調整するのに利用することができる。このようにして、オーバーシュート及び／又は発振など、望ましくない制御システムの影響の低減を伴って、色特性を段階的に調整することができる。
【００６６】
いくつかの実施形態は、現在の色管理値に応答してしきい値を動的に調整することを更に含むことができる。例えば、現在の色管理値が、最大色管理値に近いよりも最小色管理値に近い場合、しきい値をより小さなしきい値に設定することができる。反対に、現在の色管理値が、最小色管理値に近いよりも最大色管理値に近い場合、しきい値をより大きなしきい値に設定することができる。しきい値を動的に調整することによって、制御システムが、例えば、より頻繁に起こる傾向があり得る望ましくない静的発振に対してより耐性をもつ、かつ／又は低輝度設定値においてより識別できる（ｎｏｔｉｃｅａｂｌｅ）ようになることが可能になる。
【００６７】
図１２は、本発明のいくつかの実施形態による、バックライト付きディスプレイ装置を示すブロック図である。ディスプレイ装置１２００は、ＬＣＤコントローラ１２３０によって制御される液晶シャッタの２次元配列を含む、ＬＣＤパネル１２１０を含むことができる。ＬＣＤコントローラ１２３０は、異なる画素に対応するＬＣＤシャッタの状態を変更することによって、出力画像１２６０を制御することができる。
【００６８】
ＬＣＤパネル１２１０は、光の透過を利用して出力画像１２６０を制御する。このように、ディスプレイ装置１２００は、ＬＣＤパネル１２１０のシャッタを通じて選択的に透過すべき光をもたらすように構成された照明パネル１２２０を含むこともできる。照明パネル１２２０は、所望の色度（ｃｈｒｏｍａｔｉｃｉｔｙ）、彩度（ｓａｔｕｒａｔｉｏｎ）、及び／又は輝度（ｌｕｍｉｎａｎｃｅ）を達成するように制御することができる、固体照明発光体の複数のストリングを含むことができる。ストリングの出力の変更は、例えば、ストリングをある期間の一部の間オンにすることによって達成することができ、これは、バックライトコントローラ１２４０によって制御することができる。いくつかの実施形態では、固体バックライトパネル１２２０の１つ又は複数の色特性の発振を、受領した色管理値参照信号に応じてバックライトコントローラの制御モードを開ループと閉ループの間で変更することによって、低減させることができる。このようにして、ディスプレイ装置１２００は、所望のレベルの精度、一様性、応答性、及び制御システムの安定性の改善を呈することができる。
【００６９】
図１３は、本発明のいくつかの実施形態による、バックライト付きディスプレイ装置内の構成要素を、照明パネルを制御することにより制御するためのシステム／方法を示すブロック図である。ＬＣＤパネル１３１０が、画素及びＬＣＤパネル１３１０を所定のリフレッシュ速度でリフレッシュするディスプレイコントローラ１３３０によって制御される。ＬＣＤパネル１３１０を通じて輝度をもたらすために、照明パネル１３２０も含むことができる。照明パネル１３２０は、バックライトコントローラ１３４０によって制御することができ、バックライトコントローラ１３４０は、固体発光体の複数のストリングを、電流ドライバ１３６０を使用して駆動することができる。照明パネル１３２０の出力は、発光体をある期間の特定の部分の間オンにすることによって制御することができる。いくつかの実施形態では、照明パネル１３２０の１つ又は複数の色特性の発振を、受領した色管理値参照信号に応じてバックライトコントローラの制御モードを開ループと閉ループの間で変更することによって、低減させることができる。
【００７０】
いくつかの実施形態が、ＬＣＤバックライトに関連して説明されているが、本発明の諸実施形態は、例えば、一般照明（ｇｅｎｅｒａｌ  ｌｉｇｈｔｉｎｇ）など、他の目的に使用することができる。以上、図面及び明細書において、本発明の典型的な実施形態を開示してきた。特定の用語が使用されているが、それらは限定のためではなく、一般的で説明的な意味で使用されているにすぎない。本発明の範囲は、添付の特許請求の範囲に記載される。
【図面の簡単な説明】
【００７１】
【図１】本発明のいくつかの実施形態による照明パネルを示すブロック図である。
【図２】本発明のいくつかの実施形態による照明パネルバーを示す概略図である。
【図３】本発明のいくつかの実施形態による照明パネルシステムを示すブロック図である。
【図４】本発明のいくつかの実施形態によるディスプレイ構成要素を有害な動作条件から保護するための動作を示す流れ図である。
【図５】本発明のいくつかの実施形態による固体照明パネルを制御するための動作を示す流れ図である。
【図６】本発明のいくつかの実施形態による照明パネルシステムを示すブロック図である。
【図７】本発明のいくつかの実施形態による固体照明パネルを制御するための動作を示す流れ図である。
【図８】本発明の別の実施形態による固体照明パネルを制御するための動作を示す流れ図である。
【図９】本発明の更に他の実施形態による固体照明パネルを制御するための動作を示す流れ図である。
【図１０】本発明のいくつかの実施形態による固体照明パネルを制御するための動作を示す流れ図である。
【図１１】本発明のいくつかの実施形態による固体照明パネルにおいて安定化された色管理システムを実現するための動作を示す流れ図である。
【図１２】本発明のいくつかの実施形態によるバックライト付きディスプレイ装置を示すブロック図である。
【図１３】本発明のいくつかの実施形態によるバックライト付きディスプレイ装置において固体バックライト照明パネルを制御するためのシステム／方法を示すブロック図である。
【符号の説明】
【００７２】
１０  照明パネル
３０  タイル
２０  照明パネルバー
４０  インターフェース
４２Ａ乃至４２Ｃ  固体照明デバイス
４４Ａ乃至４４Ｃ  ストリング
３２０  電流ドライバ
３３０  マイクロコントローラ
３４０Ａ  温度センサ
３４０Ｂ  他のセンサ
３４０Ｃ  色センサ
３５０  ユーザ入力
３６０  色管理ユニット
６１０  照明パネル
６２０  多モード色管理システム
１２００  ディスプレイ装置
１２１０  ＬＣＤパネル
１２２０  照明パネル
１２３０  ＬＣＤコントローラ
１２４０  バックライトコントローラ
１３３０  ディスプレイコントローラ
１３１０  ＬＣＤパネル
１３２０  照明パネル
１３３０  ディスプレイコントローラ
１３４０  バックライトコントローラ
１３６０  電流ドライバ
【図１】
0005661996.tif 000002
【図２】
0005661996.tif 000003
【図３】
0005661996.tif 000004
【図４】
0005661996.tif 000005
【図５】
0005661996.tif 000006
【図６】
0005661996.tif 000007
【図７】
0005661996.tif 000008
【図８】
0005661996.tif 000009
【図９】
0005661996.tif 000010
【図１０】
0005661996.tif 000011
【図１１】
0005661996.tif 000012
【図１２】
0005661996.tif 000013
【図１３】
0005661996.tif 000014